(57)【要約】【課題】外部から視認可能な第１記録媒体に記録された情報を、記録テープカートリッジに内蔵された第２記録媒体に、早期に記録することができる記録システム及び記録方法を得る。【解決手段】記録システム３０は、記録テープカートリッジ１０の外周面の所定の位置に設けられ、かつ外部から視認可能なラベル２４に記録された情報を読み取る第１読取部３４と、記録テープカートリッジ１０に最初にアクセスした場合に、第１読取部３４により読み取られた情報を、記録テープカートリッジ１０に内蔵され、かつ記録された情報を非接触で読み取り可能なＲＦＩＤタグ２２に記録する記録部３６と、を備える。【選択図】図３
2018129108.tif 000002
【特許請求の範囲】
【請求項１】
記録テープカートリッジの外周面の所定の位置に設けられ、かつ外部から視認可能な第１記録媒体に記録された情報を読み取る読取部と、
前記記録テープカートリッジに最初にアクセスした場合に、前記読取部により読み取られた情報を、前記記録テープカートリッジに内蔵され、かつ記録された情報を非接触で読み取り可能な第２記録媒体に記録する記録部と、
を備えた記録システム。
【請求項２】
前記記録テープカートリッジに最初にアクセスした場合は、前記第２記録媒体における前記読取部により読み取られた情報を記憶する記憶領域に、該情報が記録されていない場合である、
請求項１に記載の記録システム。
【請求項３】
前記記録テープカートリッジに最初にアクセスした場合は、前記記録テープカートリッジが最初にテープドライブにロード又はテープドライブからアンロードされる場合である、
請求項１に記載の記録システム。
【請求項４】
前記読取部により前記第１記録媒体に記録された情報の読み取りができなかった場合に、前記第２記録媒体に記録された情報を読み取る第２読取部をさらに備えた、
請求項１から請求項３の何れか１項に記載の記録システム。
【請求項５】
前記第２記録媒体は、不揮発性メモリである、
請求項１から請求項４の何れか１項に記載の記録システム。
【請求項６】
前記第１記録媒体は、バーコードラベルであり、
前記第２記録媒体は、ＲＦＩＤタグである、
請求項１から請求項５の何れか１項に記載の記録システム。
【請求項７】
前記第１記録媒体に記録された情報は、前記記録テープカートリッジの個体を識別する個体識別情報である、
請求項１から請求項６の何れか１項に記載の記録システム。
【請求項８】
記録テープカートリッジの外周面の所定の位置に設けられ、かつ外部から視認可能な第１記録媒体に記録された情報を読み取り、
前記記録テープカートリッジに最初にアクセスした場合に、読み取った情報を、前記記録テープカートリッジに内蔵され、かつ記録された情報を非接触で読み取り可能な第２記録媒体に記録する、
記録方法。
【発明の詳細な説明】
【技術分野】
【０００１】
本開示は、記録システム及び記録方法に関する。
【背景技術】
【０００２】
従来、テープカセットに、バーコードラベル及び不揮発性メモリを設ける技術が提案されている（特許文献１参照）。この技術では、バーコードラベル及び不揮発性メモリに、テープカセットを識別する識別情報が記録される。
【０００３】
また、２つの不揮発性メモリを有し、一方の不揮発メモリに記録された情報が消滅した場合に、他方の不揮発メモリに記録された情報を一方の不揮発性メモリに記録する情報処理装置が提案されている（特許文献２参照）。
【０００４】
また、バーコードを読み取ることによって得られた情報に基づいて、ＲＦＩＤ（Radio Frequency IDentifier）チップに記録する情報を生成し、生成した情報をＲＦＩＤチップに記録するシステムが提案されている（特許文献３参照）。
【先行技術文献】
【特許文献】
【０００５】
【特許文献１】特開平１０−２２８７５３号公報
【特許文献２】特開平３−００３０５１号公報
【特許文献３】特開２００５−１５３４６５号公報
【発明の概要】
【発明が解決しようとする課題】
【０００６】
ところで、バーコードラベル等の記録された情報を外部から視認可能な第１記録媒体では、経年劣化及びバーコードラベルが剥がれること等によって、第１記録媒体に記録された情報を読み取ることができなくなる場合がある。この場合、例えば、記録テープカートリッジに内蔵された第２記録媒体に、第１記録媒体と同じ情報を記録することによって、第１記録媒体に記録された情報が失われることを防止することができる。
【０００７】
一方、第１記録媒体に記録された情報がいつ読み取ることができなくなるかは事前に把握することができないため、極力早期に第２記録媒体に第１記録媒体と同じ情報を記録した方がよい。しかしながら、上記特許文献１〜特許文献３の技術では、第２記録媒体に第１記録媒体と同じ情報を早期に記録することについては考慮されていない。
【０００８】
本開示は、以上の事情を鑑みて成されたものであり、外部から視認可能な第１記録媒体に記録された情報を、記録テープカートリッジに内蔵された第２記録媒体に、早期に記録することができる記録システム及び記録方法を提供することを目的とする。
【課題を解決するための手段】
【０００９】
上記目的を達成するために、本開示の記録システムは、記録テープカートリッジの外周面の所定の位置に設けられ、かつ外部から視認可能な第１記録媒体に記録された情報を読み取る読取部と、記録テープカートリッジに最初にアクセスした場合に、読取部により読み取られた情報を、記録テープカートリッジに内蔵され、かつ記録された情報を非接触で読み取り可能な第２記録媒体に記録する記録部と、を備える。
【００１０】
なお、本開示の記録システムは、記録テープカートリッジに最初にアクセスした場合が、第２記録媒体における読取部により読み取られた情報を記憶する記憶領域に、情報が記録されていない場合であってもよい。
【００１１】
また、本開示の記録システムは、記録テープカートリッジに最初にアクセスした場合が、記録テープカートリッジが最初にテープドライブにロード又はテープドライブからアンロードされる場合であってもよい。
【００１２】
また、本開示の記録システムは、読取部により第１記録媒体に記録された情報の読み取りができなかった場合に、第２記録媒体に記録された情報を読み取る第２読取部を更に備えてもよい。
【００１３】
また、本開示の記録システムは、第２記録媒体が、不揮発性メモリであってもよい。
【００１４】
また、本開示の記録システムは、第１記録媒体が、バーコードラベルであり、第２記録媒体が、ＲＦＩＤタグであってもよい。
【００１５】
また、本開示の記録システムは、第１記録媒体に記録された情報が、記録テープカートリッジの個体を識別する個体識別情報であってもよい。
【００１６】
一方、上記目的を達成するために、本開示の記録方法は、記録テープカートリッジの外周面の所定の位置に設けられ、かつ外部から視認可能な第１記録媒体に記録された情報を読み取り、記録テープカートリッジに最初にアクセスした場合に、読み取った情報を、記録テープカートリッジに内蔵され、かつ記録された情報を非接触で読み取り可能な第２記録媒体に記録するものである。
【発明の効果】
【００１７】
本開示によれば、外部から視認可能な第１記録媒体に記録された情報を、記録テープカートリッジに内蔵された第２記録媒体に、早期に記録することができる。
【図面の簡単な説明】
【００１８】
【図１】各実施形態に係る記録テープカートリッジの一例を示す斜視図である。
【図２】各実施形態に係るラベルに記録されるバーコードの一例を示す図である。
【図３】第１実施形態に係る記録システムの構成の一例を示すブロック図である。
【図４】第１実施形態に係る記録制御装置の電気系の要部構成の一例を示すブロック図である。
【図５】第１実施形態に係る記録制御処理の流れの一例を示すフローチャートである。
【図６】第２実施形態に係る記録システムの構成の一例を示すブロック図である。
【図７】第２実施形態に係る記録制御装置の電気系の要部構成の一例を示すブロック図である。
【図８】第２実施形態に係る記録制御処理の流れの一例を示すフローチャートである。
【発明を実施するための形態】
【００１９】
以下、図面を参照して、本開示の技術を実施するための形態例を詳細に説明する。
【００２０】
［第１実施形態］
まず、図１を参照して、本実施形態に係る記録テープカートリッジ１０の構成を説明する。なお、図１において、説明の便宜上、記録テープカートリッジ１０のドライブ装置（図示省略）への装填方向を矢印ＦＲで示す。また、以下では、矢印ＦＲが示す方向を記録テープカートリッジ１０の前方向（前側）とする。また、以下では、矢印ＦＲと直交する矢印ＲＨが示す方向を記録テープカートリッジ１０の右方向（右側）とし、矢印ＦＲ及び矢印ＲＨと直交する矢印ＵＰが示す方向を記録テープカートリッジ１０の上方向（上側）とする。
【００２１】
図１に示すように、本実施形態に係る記録テープカートリッジ１０は、ポリカーボネート（ＰＣ）等の樹脂材により略矩形の箱状に形成されたケース１２を備える。ケース１２の内部には、情報記録再生媒体としての磁気テープ等の記録テープＴが巻かれて装着された樹脂製のリール２０が回転可能に収容される。
【００２２】
ケース１２の右壁における前部には、記録テープＴを引き出すための開口１４が形成される。そして、開口１４から引き出される記録テープＴの自由端部には、ドライブ装置の引出部材（図示省略）によって係止されつつ引き出し操作されるリーダー部材としてのリーダーピン１６が固着される。リーダーピン１６の軸方向の両側には、環状溝１６Ａが形成されており、環状溝１６Ａが、引出部材のフック等に係止される。
【００２３】
また、ケース１２の開口１４の内側には、ケース１２内において、リーダーピン１６を位置決めして保持する上下一対のピン保持部１３が形成される。ピン保持部１３は、記録テープＴを引き出す側が開放された略半円形状とされており、直立状態のリーダーピン１６の軸方向の両端部１６Ｂが、ピン保持部１３の開放側からピン保持部１３内に出入可能とされる。
【００２４】
また、ケース１２の開口１４は、ドア１８によって開閉される。ドア１８は、開口１４を閉塞可能な大きさの略矩形の板状に形成される。開口１４の内側には、ドア１８の上下の端部を摺動可能に挿入させる溝部１５が形成されており、ドア１８がケース１２の右壁に沿って移動可能とされる。
【００２５】
また、ドア１８の前端部には、開閉操作用の凸部１８Ａが右方に向かって突設されている。凸部１８Ａが、記録テープカートリッジ１０のドライブ装置への装填に伴い、ドライブ装置の係合部材（図示省略）と係合することにより、ドア１８が開放される構成とされる。
【００２６】
また、記録テープカートリッジ１０の外周面の所定の位置には、記録された情報を外部から視認可能な第１記録媒体の一例としてのラベル２４が設けられる。本実施形態では、ラベル２４は、ケース１２の背面の外側の中央部に貼られる。また、ラベル２４には、一例として図２に示すように、記録テープカートリッジ１０の個体を識別する個体識別情報を示すバーコードＢ、及び個体識別情報を示す数字列Ｓがラベルプリンター等により印刷される。なお、図２では、バーコードＢとして、一次元コードを例示しているが、バーコードＢは、ＱＲコード（登録商標）等の二次元コードでもよい。
【００２７】
また、ケース１２には、記録された情報を、無線通信等によって非接触で読み取り可能な第２記録媒体の一例としてのＲＦＩＤタグ２２が内蔵される。なお、図１では、ＲＦＩＤタグ２２が、ケース１２内の右後部に配置された例を示しているが、ＲＦＩＤタグ２２のケース１２内における配置位置は、特に限定されない。ＲＦＩＤタグ２２のケース１２内における配置位置は、例えば、後述する第２読取部３５及び記録部３６によってＲＦＩＤタグ２２に非接触で情報が読み書き可能な位置であればよい。本実施形態に係るＲＦＩＤタグ２２は、不揮発性のメモリを含み、個体識別情報を記憶する記憶領域Ｋが予め定められている。
【００２８】
また、本実施形態に係るＲＦＩＤタグ２２は、ＲＦＩＤリーダー等の読取装置により発信された電波に応じて、記録された情報を読取装置に送信する方式（所謂パッシブ方式）のＲＦＩＤタグとされる。
【００２９】
次に、図３を参照して、本実施形態に係る記録システム３０の構成を説明する。図３に示すように、記録システム３０は、記録制御装置３２、第１読取部３４、第２読取部３５、及び記録部３６を備える。記録制御装置３２と第１読取部３４とは互いに通信可能に接続される。また、記録制御装置３２と第２読取部３５とは互いに通信可能に接続される。また、記録制御装置３２と記録部３６とは互いに通信可能に接続される。記録制御装置３２の例としては、パーソナル・コンピュータ、及びサーバ・コンピュータ等の情報処理装置が挙げられる。
【００３０】
本実施形態に係る第１読取部３４は、記録制御装置３２による制御によって、ラベル２４に印刷されたバーコードＢを光学的に読み取り、読み取ったバーコードＢにより示される個体識別情報を記録制御装置３２に出力する。第１読取部３４の例としては、バーコードリーダーが挙げられる。
【００３１】
本実施形態に係る第２読取部３５は、記録制御装置３２による制御によって、記録テープカートリッジ１０に内蔵されたＲＦＩＤタグ２２に記録された情報を非接触で読み取り、読み取った情報を記録制御装置３２に出力する。具体的には、第２読取部３５は、記録制御装置３２による制御によって、電波をＲＦＩＤタグ２２に発信する。第２読取部３５から発信された電波をＲＦＩＤタグ２２が受信すると、ＲＦＩＤタグ２２は、ＲＦＩＤタグ２２に記録された情報を第２読取部３５に送信する。第２読取部３５は、ＲＦＩＤタグ２２から送信された情報を受信し、受信した情報を記録制御装置３２に出力する。第２読取部３５の例としては、ＲＦＩＤリーダーが挙げられる。
【００３２】
本実施形態に係る記録部３６は、記録制御装置３２による制御によって、第１読取部３４により読み取られた個体識別情報を、ＲＦＩＤタグ２２の記憶領域Ｋに記録する。具体的には、記録部３６は、記録制御装置３２による制御によって、個体識別情報を含む電波をＲＦＩＤタグ２２に発信する。そして、ＲＦＩＤタグ２２は、記録部３６から送信された電波を受信し、受信した電波に含まれる個体識別情報を記憶領域Ｋに書き込む。記録部３６の例としては、ＲＦＩＤライターが挙げられる。なお、第２読取部３５及び記録部３６は、一体化されて構成されたＲＦＩＤリーダーライターでもよい。
【００３３】
次に、図４を参照して、本実施形態に係る記録制御装置３２の電気系の要部構成を説明する。図４に示すように、記録制御装置３２は、ＣＰＵ（Central Processing Unit）５０、及び各種プログラムや各種パラメータ等が予め記憶されたＲＯＭ（Read Only Memory）５２を備える。また、記録制御装置３２は、ＣＰＵ５０による各種プログラムの実行時のワークエリア等として用いられるＲＡＭ（Random Access Memory）５４、及びＨＤＤ（Hard Disk Drive）等の不揮発性の記憶部５６を備える。
【００３４】
また、記録制御装置３２は、液晶ディスプレイ等の表示部５８、キーボードとマウス等の入力部６０、及び入出力Ｉ／Ｆ（InterFace）６２を備える。そして、ＣＰＵ５０、ＲＯＭ５２、ＲＡＭ５４、記憶部５６、表示部５８、入力部６０、及び入出力Ｉ／Ｆ６２の各部が、バス６４を介して互いに接続される。また、入出力Ｉ／Ｆ６２には、第１読取部３４、第２読取部３５、及び記録部３６が接続される。
【００３５】
次に、図５を参照して、本実施形態に係る記録システム３０の作用を説明する。記録制御装置３２のＣＰＵ５０が記録制御プログラムを実行することによって、図５に示す記録制御処理が実行される。なお、この記録制御プログラムは、記録制御装置３２のＲＯＭ５２に予めインストールされている。また、図５に示す記録制御処理は、例えば、記録テープカートリッジの生産工程において、作業者により入力部６０を介して実行指示が入力された場合に実行される。
【００３６】
また、本実施形態では、作業者は、第１読取部３４により記録テープカートリッジ１０の背面に貼られたラベル２４のバーコードＢを読み取り可能な位置で、かつ以下に示す位置に記録テープカートリッジ１０を配置する。すなわち、この場合、作業者は、第１読取部３４によりバーコードＢを読み取り可能な位置で、かつ第２読取部３５及び記録部３６によりＲＦＩＤタグ２２に対する情報の読み書きが可能な位置に記録テープカートリッジ１０を配置する。そして、作業者は、この配置の完了後に、入力部６０を介して記録制御処理の実行指示を入力する。
【００３７】
図５のステップＳ１０で、ＣＰＵ５０は、第１読取部３４に対し、ラベル２４に印刷されたバーコードＢを読み取らせる制御を行い、第１読取部３４により読み取られたバーコードＢにより示される個体識別情報を、入出力Ｉ／Ｆ６２を介して取得する。次のステップＳ１２で、ＣＰＵ５０は、第２読取部３５に対し、ＲＦＩＤタグ２２に記録された情報を読み取らせる制御を行い、第２読取部３５により読み取られた情報を、入出力Ｉ／Ｆ６２を介して取得する。
【００３８】
次のステップＳ１４で、ＣＰＵ５０は、ステップＳ１２で取得された情報に、ステップＳ１０で取得された個体識別情報が含まれているか否かを判定する。この判定が否定判定となった場合は、ＣＰＵ５０は、記録テープカートリッジ１０に最初にアクセスしたと見なし、処理はステップＳ１６に移行する。
【００３９】
ステップＳ１６で、ＣＰＵ５０は、記録部３６に対し、ステップＳ１０で取得された個体識別情報を、ＲＦＩＤタグ２２の記憶領域Ｋに記録させる制御を行う。本ステップＳ１６の処理が終了すると、本記録制御処理が終了する。一方、ステップＳ１４の判定が肯定判定となった場合、ステップＳ１６の処理は実行されずに、本記録制御処理が終了する。
【００４０】
以上説明したように、本実施形態によれば、記録テープカートリッジの外周面の所定の位置に設けられ、かつ記録された情報を外部から視認可能な第１記録媒体に記録された情報を読み取る。そして、記録テープカートリッジに最初にアクセスした場合に、読み取った情報を、記録テープカートリッジに内蔵され、かつ記録された情報を非接触で読み取り可能な第２記録媒体に記録する。従って、記録された情報を外部から視認可能な第１記録媒体に記録された情報を、記録テープカートリッジに内蔵された第２記録媒体に、早期に記録することができる
【００４１】
［第２実施形態］
本開示の技術の第２実施形態について説明する。なお、記録テープカートリッジ１０の構成（図１参照）は第１実施形態と同様であるため、説明を省略する。
【００４２】
まず、図６を参照して、本実施形態に係る記録システム１３０の構成を説明する。なお、図６における図３と同一の構成要素については、図３と同一の符号を付して、その説明を省略する。記録システム１３０は、記録制御装置３２及びテープライブラリ７０を備える。
【００４３】
本実施形態に係るテープライブラリ７０は、複数のスロット７２、テープドライブ７４、及び移動機構７６を備える。なお、テープドライブ７４の数は、複数であってもよい。スロット７２には、記録テープカートリッジ１０が格納される。テープドライブ７４には、記録テープカートリッジ１０の記録テープＴに対する読み書きを行う場合に、記録テープカートリッジ１０がロードされる。また、テープドライブ７４にロードされた記録テープカートリッジ１０の記録テープＴに対する読み書きが終了した後、テープドライブ７４から記録テープカートリッジ１０がアンロードされる。本実施形態に係るテープドライブ７４には、第２読取部３５及び記録部３６が内蔵される。
【００４４】
本実施形態に係る移動機構７６は、記録制御装置３２による制御によって、スロット７２から記録テープカートリッジ１０を取り出し、取り出した記録テープカートリッジ１０をテープドライブ７４にロードする。また、移動機構７６は、記録制御装置３２による制御によって、テープドライブ７４から記録テープカートリッジ１０をアンロードし、アンロードした記録テープカートリッジ１０をスロット７２に格納する。また、移動機構７６には、第１読取部３４が取り付けられる。
【００４５】
次に、図７を参照して、本実施形態に係る記録制御装置３２の電気系の要部構成を説明する。なお、図７における図４と同一の構成要素については、図４と同一の符号を付して、その説明を省略する。図７に示すように、記録制御装置３２の入出力Ｉ／Ｆ６２は、テープライブラリ７０の入出力Ｉ／Ｆ７８に接続される。そして、テープライブラリ７０の入出力Ｉ／Ｆ７８には、第１読取部３４、第２読取部３５、記録部３６、及び移動機構７６が接続される。以上の構成により、ＣＰＵ５０は、入出力Ｉ／Ｆ６２及び入出力Ｉ／Ｆ７８を介して、第１読取部３４、第２読取部３５、記録部３６、及び移動機構７６を各々制御することができる。
【００４６】
また、本実施形態に係る記憶部５６の所定の記憶領域には、記録テープカートリッジ１０がテープドライブ７４にロードされた回数（以下、「ロード回数」という）が、記録テープカートリッジ１０毎に記憶される。本実施形態では、ロード回数の初期値は０とされる。
【００４７】
次に、図８を参照して、本実施形態に係る記録システム３０の作用を説明する。記録制御装置３２のＣＰＵ５０が記録制御プログラムを実行することによって、図８に示す記録制御処理が実行される。なお、この記録制御プログラムは、記録制御装置３２のＲＯＭ５２に予めインストールされている。また、図８に示す記録制御処理は、例えば、ユーザにより入力部６０を介して実行指示が入力された場合に実行される。ユーザは、例えば、スロット７２に格納された記録テープカートリッジ１０をテープドライブ７４にロードする場合に、入力部６０を介して記録制御処理の実行指示を入力する。また、錯綜を回避するために、ここでは、テープドライブ７４にロードされた記録テープカートリッジ１０の記録テープＴに対する読み書き処理の説明を省略する。また、錯綜を回避するために、ここでは、記録テープカートリッジ１０をテープドライブ７４からアンロードしてスロット７２に格納する処理の説明も省略する。
【００４８】
図８のステップＳ３０で、ＣＰＵ５０は、スロット７２に格納された記録テープカートリッジ１０に貼られたラベル２４のバーコードＢを、第１読取部３４によって読み取り可能な位置に、移動機構７６を移動させる。そして、ＣＰＵ５０は、上記ステップＳ１０と同様に、第１読取部３４に対し、ラベル２４に印刷されたバーコードＢを読み取らせる制御を行い、バーコードＢにより示される個体識別情報を、入出力Ｉ／Ｆ６２を介して取得する。次のステップＳ３２で、ＣＰＵ５０は、上記ステップＳ３０で正常にバーコードＢを読み取ることができたか否かを判定する。この判定が肯定判定となった場合は、処理はステップＳ３８に移行し、否定判定となった場合は、処理はステップＳ３４に移行する。
【００４９】
ステップＳ３４で、ＣＰＵ５０は、第２読取部３５に対し、ＲＦＩＤタグ２２に記録された情報を読み取らせる制御を行い、第２読取部３５により読み取られた情報を、入出力Ｉ／Ｆ６２を介して取得する。ステップＳ３６で、ＣＰＵ５０は、ステップＳ３４で取得された情報に、個体識別情報が含まれているか否かを判定する。この判定が肯定判定となった場合は、処理はステップＳ３８に移行する。
【００５０】
ステップＳ３８で、ＣＰＵ５０は、移動機構７６に対し、記録テープカートリッジ１０をスロット７２から取り出させる制御を行う。ステップＳ４０で、ＣＰＵ５０は、移動機構７６に対し、ステップＳ３８で取り出された記録テープカートリッジ１０をテープドライブ７４の位置まで移動させた後、記録テープカートリッジ１０をテープドライブ７４に装填させる制御を行う。本ステップＳ４０の処理により、記録テープカートリッジ１０がテープドライブ７４にロードされる。
【００５１】
次のステップＳ４２で、ＣＰＵ５０は、記憶部５６に記憶されたロード回数が０であるか否かを判定することによって、記録テープカートリッジ１０が最初にテープドライブ７４にロードされたか否かを判定する。この判定が否定判定となった場合は、処理はステップＳ４６に移行し、肯定判定となった場合は、ＣＰＵ５０は、記録テープカートリッジ１０に最初にアクセスしたと見なし、処理はステップＳ４４に移行する。
【００５２】
ステップＳ４４で、ＣＰＵ５０は、上記ステップＳ１６と同様に、記録部３６に対し、ステップＳ３０で取得された個体識別情報を、ＲＦＩＤタグ２２の記憶領域Ｋに記録させる制御を行う。ステップＳ４６で、ＣＰＵ５０は、記憶部５６に記憶されたロード回数に１を加算することによって、ロード回数を更新する。本ステップＳ４６の処理が終了すると、本記録制御処理が終了する。
【００５３】
一方、ステップＳ３６の判定が否定判定となった場合は、処理はステップＳ４８に移行する。ステップＳ４８で、ＣＰＵ５０は、個体識別情報の読み取りがエラーになった旨を出力する。例えば、ＣＰＵ５０は、個体識別情報の読み取りがエラーになった旨を示すメッセージを表示部５８に出力することにより、メッセージを表示部５８に表示する。本ステップＳ４８の処理が終了すると、本記録制御処理が終了する。
【００５４】
以上説明したように、本実施形態によれば、上記第１実施形態と同様の効果を奏することができる。
【００５５】
また、本実施形態によれば、記録テープカートリッジが最初にテープドライブからロードされた場合に、第１記録媒体に記録された情報を第２記録媒体に記録している。従って、早期かつ確実に、第１記録媒体に記録された情報を第２記録媒体に記録することができる。
【００５６】
また、本実施形態によれば、第１記録媒体に記録された個体識別情報を読み取れなかった場合に、第２記録媒体に記録された個体識別情報を読み取っている。従って、第１記録媒体が劣化した場合でも、記録テープカートリッジの個体を識別することができる。
【００５７】
なお、上記第２実施形態では、記録テープカートリッジ１０が最初にテープドライブ７４にロードされた場合に、ラベル２４に記録された個体識別情報をＲＦＩＤタグ２２に記録する場合について説明したが、これに限定されない。例えば、記録テープカートリッジ１０が最初にテープドライブ７４からアンロードされた場合に、ラベル２４に記録された個体識別情報をＲＦＩＤタグ２２に記録する形態としてもよい。
【００５８】
また、上記第２実施形態では、ロード回数を記憶部５６に記憶する場合について説明したが、これに限定されない。例えば、ロード回数をＲＦＩＤタグ２２の記憶領域Ｋ以外の記憶領域に記録する形態としてもよい。
【００５９】
また、上記各実施形態において、ＲＦＩＤタグ２２の記憶領域Ｋ以外の記憶領域に記録部３６とＲＦＩＤタグ２２との通信回数を記録する形態としてもよい。この場合、ＲＦＩＤタグ２２に記録された通信回数が０である場合に、記録テープカートリッジ１０への最初のアクセスと見なす形態が例示される。
【００６０】
また、上記各実施形態では、記録された情報を外部から視認可能な第１記録媒体として、ラベル２４を適用した場合について説明したが、これに限定されない。例えば、第１記録媒体として、普通紙等の用紙を適用する形態としてもよい。
【００６１】
また、上記各実施形態では、第１記録媒体に個体識別情報が記録されている場合について説明したが、これに限定されない。例えば、第１記録媒体に、記録テープカートリッジ１０の製造日及び製造元名等の個体識別情報以外の記録テープカートリッジ１０に関する情報が記録されている形態としてもよい。
【００６２】
また、上記各実施形態では、記録された情報を非接触で読み取り可能な第２記録媒体として、ＲＦＩＤタグ２２を適用した場合について説明したが、これに限定されない。例えば、第２記録媒体として、無線通信機能を搭載したメモリカードを適用する形態としてもよい。
【００６３】
また、上記各実施形態では、ＲＦＩＤタグ２２として、パッシブ方式のＲＦＩＤタグを適用した場合について説明したが、これに限定されない。例えば、ＲＦＩＤタグ２２として、電波を発信する方式（所謂アクティブ方式）のＲＦＩＤタグを適用する形態としてもよい。
【００６４】
また、上記各実施形態では、個体識別情報が、ラベル２４に記録されている場合について説明したが、これに限定されない。例えば、個体識別情報が、レーザー及びインク等を用いて、ケース１２の外周面（例えば、背面）の所定の位置に形成される形態としてもよい。
【００６５】
また、上記各実施形態では、記録制御プログラムがＲＯＭ５２に予め記憶（インストール）されている態様を説明したが、これに限定されない。記録制御プログラムは、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、記録制御プログラムは、ネットワークを介して外部装置からダウンロードされる形態としてもよい。
【符号の説明】
【００６６】
１０  記録テープカートリッジ
１２  ケース
１３  ピン保持部
１４  開口
１５  溝部
１６  リーダーピン
１６Ａ  環状溝
１６Ｂ  両端部
１８  ドア
１８Ａ  凸部
２０  リール
２２  ＲＦＩＤタグ
２４  ラベル
３０、１３０  記録システム
３２  記録制御装置
３４  第１読取部
３５  第２読取部
３６  記録部
５０  ＣＰＵ
５２  ＲＯＭ
５４  ＲＡＭ
５６  記憶部
５８  表示部
６０  入力部
６２、７８  入出力Ｉ／Ｆ
６４  バス
７０  テープライブラリ
７２  スロット
７４  テープドライブ
７６  移動機構
Ｂ  バーコード
ＦＲ  矢印
ＲＨ  矢印
Ｓ  数字列
Ｔ  記録テープ
ＵＰ  矢印
【図１】
2018129108.tif 000003
【図２】
2018129108.tif 000004
【図３】
2018129108.tif 000005
【図４】
2018129108.tif 000006
【図５】
2018129108.tif 000007
【図６】
2018129108.tif 000008
【図７】
2018129108.tif 000009
【図８】
2018129108.tif 000010